(57)【要約】      （修正有）【課題】叩き音が発生せずにしかも簡単な構成の電気掃除機を提供する。【解決手段】電動送風機３３と、塵埃分離部４２と、プリーツフィルタ６４と、第１塵埃室４０と連通した第２塵埃室６０と、プリーツフィルタ６４の下流側と電動送風機３３の吸込開口３３Ａとを連通した連通風路管３５とを備え、プリーツフィルタ６４に空気を吹き付けて付着した塵埃を落とすノズル６８を設け、落とされた塵埃を第１塵埃室４０へ導入する接続開口４１Ｂａを第１集塵室４０の上部に設け、第１集塵室４０の上部と連通風路管３５とを連通するバイパス風路管３６を設け、このバイパス風路管３６にプリーツフィルタ５０を設け、バイパス風路管３６および連通風路管３５を開閉する切換弁３８と、吸引風路管３１を開閉する開閉弁を設け、非掃除時に、連通風路管３５を切換弁３８で閉成し、吸引風路管３１を開閉弁で閉成し、ノズル６８から外気をプリーツフィルタ６４へ吹き付ける。【選択図】図１
2008023043.tif 000002
【特許請求の範囲】
【請求項１】
塵埃吸込口から塵埃を吸い込ませる電動送風機と、前記塵埃吸込口へ吸い込まれた塵埃と空気を分離する第１塵埃分離手段と、この第１塵埃分離手段を通過した塵埃と空気を分離するプリーツフィルタと、前記第１塵埃分離手段を配置した第１塵埃室と、この第１塵埃室の上方に設けられるとともに前記プリーツフィルタが配置された第２塵埃室と、前記プリーツフィルタの下流側と前記電動送風機の吸込開口とを連通した連通風路とを備えた縦型の電気掃除機であって、
前記プリーツフィルタに空気を吹き付けて付着した塵埃を落とす空気吹付手段を設け、
前記第１集塵室と第２集塵室とを連通するとともに、前記プリーツフィルタから落とされた塵埃を前記第１塵埃室へ導入する開口をその第１集塵室の上部に設け、
前記第１集塵室の上部と前記連通風路とを連通するバイパス風路を設け、
このバイパス風路にフィルタを設け、
前記バイパス風路を開閉する第１開閉手段と、前記バイパス風路に合流する合流位置より上流側の連通風路を開閉する第２開閉手段と、前記塵埃吸込口と第１集塵室とを連通した吸引風路を開閉する第３開閉手段とを設け、
掃除時に、前記第１開閉手段を閉成し、前記第２，第３開閉手段を開成し、
非掃除時に、前記第１開閉手段を開成し、前記第２，第３開閉手段を閉成し、前記空気吹付手段を動作させることを特徴とする縦型の電気掃除機。
【請求項２】
前記プリーツフィルタを回転可能に設け、
前記空気吹付手段の動作中、前記プリーツフィルタを回転させることを特徴とする請求項１に記載の縦型の電気掃除機。
【請求項３】
前記フィルタは第１集塵室を臨む位置に設けられ、
前記フィルタを振動させてそのフィルタに付着した塵埃を落とす振動手段を設け、
掃除時に、前記振動手段を動作させることを特徴とする請求項１または請求項２に記載の縦型の電気掃除機。
【請求項４】
前記空気吹付手段は、前記電動送風機の排気風を前記プリーツフィルタに吹き付けることを特徴とする請求項１ないし請求項３のいずれか１つに記載の縦型の電気掃除機。
【発明の詳細な説明】
【技術分野】
【０００１】
この発明は、塵埃と空気を分離する第１塵埃分離手段の上方位置にプリーツフィルタを設けた縦型の電気掃除機に関する。
【背景技術】
【０００２】
従来から、二次フィルタであるプリーツフィルタを設けた電気掃除機が知られている（特許文献１参照）。
【０００３】
かかる電気掃除機は、集塵容器室を内部に形成した掃除機本体と、集塵容器室に着脱自在に装着される集塵容器と、前記集塵容器室の下流側に設けられた電動送風機と、集塵容器の後部開口に着脱自在に装着された二次フィルタであるプリーツフィルタと、このプリーツフィルタに付着した塵埃を振り落とす除塵手段等とを備えている。
【０００４】
除塵手段は、プリーツフィルタに対向した位置にリングを回転自在に配置し、このリングにプリーツフィルタに当接する突起を設け、コードリールが電源コードを巻き取っていく際にリングを回転させ、このリングが回転することによって突起がプリーツフィルタのプリーツの山部を乗り越えながら移動していき、これによりプリーツフィルタに振動を与えて、プリーツフィルタに付着した塵埃を落としていくものである。
【特許文献１】特開２００４−３５８１３５号公報
【発明の開示】
【発明が解決しようとする課題】
【０００５】
しかしながら、このような電気掃除機にあっては、突起がプリーツフィルタのプリーツの山部を叩くことになるので、その叩き音がうるさいという問題があった。また、プリーツフィルタから落とされた塵埃を集塵容器内の集塵室に戻すようにすると、複雑な機構も必要となるなどの問題もあった。
【０００６】
この発明の目的は、叩き音が発生せずにしかも簡単な構成で、プリーツフィルタから落とされた塵埃を集塵室内へ戻すことのできる縦型の電気掃除機を提供することにある。
【課題を解決するための手段】
【０００７】
請求項１の発明は、塵埃吸込口から塵埃を吸い込ませる電動送風機と、前記塵埃吸込口へ吸い込まれた塵埃と空気を分離する第１塵埃分離手段と、この第１塵埃分離手段を通過した塵埃と空気を分離するプリーツフィルタと、前記第１塵埃分離手段を配置した第１塵埃室と、この第１塵埃室の上方に設けられるとともに前記プリーツフィルタが配置された第２塵埃室と、前記プリーツフィルタの下流側と前記電動送風機の吸込開口とを連通した連通風路とを備えた縦型の電気掃除機であって、
前記プリーツフィルタに空気を吹き付けて付着した塵埃を落とす空気吹付手段を設け、
前記第１集塵室と第２集塵室とを連通するとともに、前記プリーツフィルタから落とされた塵埃を前記第１塵埃室へ導入する開口をその第１集塵室の上部に設け、
前記第１集塵室の上部と前記連通風路とを連通するバイパス風路を設け、
このバイパス風路にフィルタを設け、
前記バイパス風路を開閉する第１開閉手段と、前記バイパス風路に合流する合流位置より上流側の連通風路を開閉する第２開閉手段と、前記塵埃吸込口と第１集塵室とを連通した吸引風路を開閉する第３開閉手段とを設け、
掃除時に、前記第１開閉手段を閉成し、前記第２，第３開閉手段を開成し、
非掃除時に、前記第１開閉手段を開成し、前記第２，第３開閉手段を閉成し、前記空気吹付手段を動作させることを特徴とする。
【発明の効果】
【０００８】
この発明によれば、塵埃を落とす叩き音が発生せずに、しかも簡単な構成でプリーツフィルタから落とされた塵埃を集塵室内へ戻すことができる。
【発明を実施するための最良の形態】
【０００９】
以下、この発明に係る縦型の電気掃除機の実施の形態を図面に基づいて説明する。
【実施例】
【００１０】
［第１実施例］
図１および図２に示す縦型の電気掃除機２０は、底面に図示しない吸込開口（塵埃吸込口）を有する吸込室（図示せず）を形成した吸込口体２１と、掃除機本体３０と、この掃除機本体３０の上部から上方に延びたハンドル１００とを備えている。吸込口体２１内には回転清掃体２２が設けられており、図示しないモータによって回転される。
【００１１】
掃除機本体３０は、吸込口体２１に対して前後方向（図２において左右方向）に傾動可能となっており、吸込口体２１の吸込室と後述する掃除機本体３０内の第１集塵室４０は吸引風路を形成した吸引風路管３１によって連通されている。この吸引風路管３１には電磁弁である開閉弁（第３開閉手段）３２が設けられており、吸引風路管３１が開閉可能となっている。
【００１２】
掃除機本体３０内には、下部に電動送風機３３が設けられており、この電動送風機３３の上方位置に第１集塵室４０が、この第１集塵室４０の上方位置に第２集塵室６０がそれぞれ設けられている。
【００１３】
第２集塵室６０は、連通風路管３５により電動送風機３３の吸込開口３３Ａに連通されている。また、第１集塵室４０はバイパス風路を形成したバイパス風路管３６を介して連通風路管３５に連通している。
【００１４】
第１集塵室４０は、図３ないし図５に示すように、集塵室ケース４１によって形成されている。この集塵室ケース４１は掃除機本体３０から左方向（図２において）へ引き抜いて取り外せるようになっている。
【００１５】
集塵室ケース４１は筐体状に形成され、その後壁４１Ａ（図２参照）に開口４１Ａａが形成されており、この開口４１Ａａには吸引風路管３１の口部３１Ａが挿入されている。
【００１６】
集塵室ケース４１の上壁部４１Ｂには、接続開口（開口）４１Ｂａと、この接続開口４１Ｂａに隣接してバイパス開口４１Ｂｂが形成されている。バイパス開口４１Ｂｂはバイパス風路３６に連通している。
【００１７】
集塵ケース４１内には、塵埃と空気を分離する塵埃分離部（第１塵埃分離手段）４２と、分離された塵埃を集塵する集塵部４３とが設けられている。この集塵部４３は塵埃分離部４２の右側（図１において）に形成され、塵埃分離部４２の左側には上下方向に延びるとともに接続開口４１Ｂａおよびバイパス開口４１Ｂｂに連通した案内風路４６が形成されている。
【００１８】
塵埃分離部４２は、第１円筒部４４と、この第１円筒部４４の外側に形成された第２円筒部４５と、第１円筒部４４内に設けたほぼ円錐形状のネットフィルタＮ１等とから構成されている。
【００１９】
そして、図２に示すように第１円筒部４４の一端開口４４Ａと、第２円筒部４５の一端開口４５Ａとの一部にまたがって吸引風路管３１の口部３１Ａが臨んでいる。第１円筒部４４の他端開口４４Ｂは図５に示すように案内風路４６に連通している。第１円筒部４４の他端と第２円筒部４５の他端との間は前壁部４７により閉塞されている。前壁部４７と集塵室ケース４１の側壁部４１Ｄとの間には所定の隙間が形成されている。
【００２０】
第１円筒部４４の下側の右側（図１参照）には切欠４４Ｋが形成され、この切欠４４Ｋを介して第１円筒部４４内と第２円筒部４５内とが連通している。第２円筒部４５の右側（図１参照）には切欠４５Ｋが形成され、この切欠４５Ｋを介して第２円筒部４５内と集塵部４３とが連通している。また、図１に示すように第２円筒部４５の切欠４５Ｋの下部から第１円筒部４４の切欠４４Ｋの上部まで延びたガイド壁ＧＫが形成されている。
【００２１】
集塵部４３の底部には枠体４８が設けられており、この枠体４８にはネットフィルタＮ２が貼り付けられている。枠体４８と集塵ケース４１の底壁部４１Ｃとの間には左右方向に延びるとともに案内風路４６に連通した底部風路４９が形成され、この底部風路４９はネットフィルタＮ２を介して集塵部４３に連通している。
【００２２】
バイパス開口４１Ｂｂには、プリーツフィルタ５０が設けられており、このプリーツフィルタ５０は振動機構（振動手段）５１により振動されて付着した塵埃を落とすようになっている。プリーツフィルタ５０の下側には空気を接続開口４１Ｂａへ案内するガイド壁ＧＫ２が設けられている。
【００２３】
振動機構５１は、図３ないし図６に示すように、左右方向（図６において）に往復移動する移動板５２と、この移動板５２を往復移動させる第１，第２アーム５３，５４と、第１アーム５３を回転させるモータ５５等とから構成されている。
【００２４】
移動板５２には複数の長孔５２Ａが形成され、移動板５２の下面にはプリーツフィルタ５０の谷部５０Ａに入り込んだ複数の突起５２Ｔが設けられている。長孔５２Ａには軸５６が挿入され、この軸５６は第２アーム５４の先端部５４Ａに設けられている。第２アーム５４の後端部５４Ｂは第１アーム５３の先端部５３Ａに回転自在に軸支され、第１アーム５３の後端部５３Ｂにモータ５５の駆動軸５５ａが固定されている。
【００２５】
そして、モータ５５の駆動軸５５ａが回転すると、第１アーム５３が駆動軸５５ａ回りに回転し、この第１アーム５３の回転により第２アーム５４を介して移動板５２が左右方向（図５において）に往復移動してプリーツフィルタ５０に振動を与えるものである。
【００２６】
第１集塵室４１と第２集塵室６０とは接続開口４１Ｂａを介して連通されている。
【００２７】
第２集塵室６０内には、回転プリーツフィルタ体６１が配置され、この回転プリーツフィルタ体６１の下流側が連通風路管３５に連通されている。
【００２８】
回転プリーツフィルタ体６１は、円筒状の収納ケース６２と、この収納ケース６１内に回転自在に取り付けられた円筒状の保持枠６３（図示せず）と、この保持枠６３の中心位置から放射状にプリーツを形成したプリーツフィルタ６４とを有している。
【００２９】
保持枠６３にはギア６５が形成され、このギア６５は収納ケース６２から外へ突出し、このギア６５にはモータ６６の駆動軸６６ａに装着した駆動ギア６７が噛合しており、モータ６６によってプリーツフィルタ６４は回転していくようになっている。
【００３０】
また、第２集塵室６０にはプリーツフィルタ６４に向けてノズル（空気吹付手段）６８（図１参照）が設けられており、このノズル６８は外気をプリーツフィルタ６４に向けて噴出するようになっている。ノズル６８には開閉弁（電磁弁）６９が設けられており、この開閉弁６９の開閉によりプリーツフィルタ６４に外気を吹き付けたり吹き付けなかったりするようになっている。
【００３１】
バイパス風路３６と連通風路管３５との合流部分に電磁弁である切換弁（第１，第２開閉手段）３８が設けられている。この切換弁３８は破線位置に切り換わっているとき連通風路管３５を閉成し、バイパス風路３６を開成する。切換弁３８が実線位置に切り換わると、バイパス風路３６を閉成し、連通風路管３５を開成する。
【００３２】
ハンドル１００の上部には図示しない手元操作部が設けられており、この手元操作部には電動送風機３３の強弱設定スイッチや切スイッチなどが設けられている。
［動  作］
次に、上記のように構成される電気掃除機２０の動作について説明する。なお、電源がオフのとき（電動送風機３３の駆動が停止されているとき）、開閉弁６９は閉成され、開閉弁３２は開成され、切換弁３８は実線位置へ切り換わっている。すなわち、バイパス風路３６は閉成され、ノズル６８は閉成されている。
【００３３】
ハンドル１００の手元部の強弱設定スイッチが操作されると、電動送風機３３が駆動される。この電動送風機３３の駆動により、電動送風機３３の吸込開口３３Ａから空気が吸い込まれて、連通風路管３５および第２集塵室６０を介して第１集塵室４０に負圧が作用し、さらに吸引風路管３１を介して吸込口体２１の吸込室に作用し、吸込口体２１から空気とともに塵埃が吸引風路管３１へ吸引されていく。
【００３４】
この吸引風路管３１へ吸引された塵埃および空気は、吸引風路管３１の口部３１Ａから第１集塵室４０の塵埃分離部４２の第１，第２円筒部４４，４５に向けて吹き出していく。
【００３５】
第１円筒部４４に向けて吹き出された塵埃および空気は、第１円筒部４４の切欠４４Ｋを通って第２円筒部４５内へ導入されていき、第２円筒部４５に向けて吹き出された塵埃および空気は、第２円筒部４５の切欠４５Ｋを通って集塵部４３へ導入されていく。これらにより塵埃および空気は、図１の矢印に示すように第２円筒部４５内を時計回り（図３において反時計回り）に流れていく。
【００３６】
一方、第１円筒部４４に向けて吹き出された空気の一部は、ネットフィルタＮ１を通過して第１，第２円筒部４４，４５の前壁部４７（図５参照）と集塵室ケース４１の側壁部４１Ｄとの間の隙間を介して、集塵室ケース４１の接続開口４１Ｂａへ吸引されていく。
【００３７】
他方、集塵部４３へ導入された塵埃と空気はここで分離されて、塵埃が集塵部４３に集塵されていく。
【００３８】
また、塵埃から分離された空気は、図１の矢印に示すようにネットフィルタＮ２を通って第１集塵室４０の底部風路４９および案内風路４６を介して集塵室ケース４１の接続開口４１Ｂａへ吸引されていく。
【００３９】
集塵室ケース４１の接続開口４１Ｂａへ吸引された空気は、第２集塵室６０に導入され、さらに回転プリーツフィルタ体６１のプリーツフィルタ６４を通って連通風路管３５へ吸引されていく。プリーツフィルタ６４は、空気が通過する際にネットフィルタＮ２を通過してきた細塵を捕捉する。
【００４０】
連通風路管３５に吸引された空気は、さらに電動送風機３３の吸込開口３３Ａへ吸引されていく。電動送風機３３の吸込開口３３Ａへ吸引された空気は電動送風機３３内を通って排気口３３Ｈから排気され、掃除機本体３０の図示しない排気口から外部へ排気されていく。
【００４１】
ところで、通常の掃除を行っているとき、すなわち上記の動作が行われているとき、振動機構５１のモータ５５が駆動されて移動板５２が左右方向（図５において）に往復移動され、この往復移動により移動板５２の突起５２Ｔがプリーツフィルタ５０の山部を乗り越えていき、この乗り越えた際にその突起５２Ｔが次のプリーツフィルタ５０の山部を叩き、これによってプリーツフィルタ５０に振動が与えられ、プリーツフィルタ５０に付着している塵埃が振り落とされていく。
【００４２】
プリーツフィルタ５０に振動が与えられているとき、移動板５２の突起５２Ｔがプリーツフィルタ５０の山部を叩くので叩き音が発生するが、電動送風機３３の駆動による騒音の方が大きいので、この叩き音は問題にならない。
【００４３】
そして、ハンドル１００の手元操作部の切スイッチを操作すると、電動送風機３３が弱運転より弱いパワーで駆動される。このため、電動送風機３３の駆動による騒音は小さくなる。
【００４４】
また、切スイッチの操作により、切換弁３８が図７に示す実線位置（図１において破線位置）へ切り換わり、バイパス風路３６が開成されるとともにバイパス風路３６位置より上流の連通風路管３５が閉成される。また、開閉弁３２（図２参照）が閉成され、開閉弁６９が開成される。
【００４５】
この開閉弁３２の閉成および開閉弁６９の開成により、図７に示すようにノズル６８から外気が回転プリーツフィルタ体６１のプリーツフィルタ６４に向けて噴出し、プリーツフィルタ６４に付着した細塵が落とされていく。また、このときモータ６６が駆動されてプリーツフィルタ６４は回転していき、プリーツフィルタ６４全体に亘ってノズル６８から外気が吹き付けられていく。これにより、プリーツフィルタ６４全体に亘って塵埃を落としていくことができる。
【００４６】
プリーツフィルタ６４に吹き付けられた外気は、切換弁３８により連通風路管３５が閉成されていることにより、図７の矢印に示すように、集塵室ケース４１の接続開口４１Ｂａを介して案内風路４６へ吸引され、さらにバイパス開口４１Ｂｂのプリーツフィルタ５０を通ってバイパス風路３６へ吸引されていく。
【００４７】
この際、外気は矢印Ｑ１に示すようにガイド壁ＧＫ２により大きく迂回することになり、この迂回により外気とプリーツフィルタ６４から落とされた細塵とが分離されて、細塵が集塵室ケース４１の接続開口４１Ｂａから集塵室ケース４１の底壁部４１Ｃへ落下していくことになる。
【００４８】
バイパス風路３６へ吸引された外気は連通風路管３５を介して電動送風機３３の吸込開口３３Ａへ吸引されていく。
【００４９】
上述のように、電動送風機３３の駆動による騒音が小さくなっているとき、ノズル６８から外気を吹き付けてプリーツフィルタ６４に付着した塵埃を落とすものであるから、プリーツフィルタ６４から塵埃を落とす叩き音が発生せず、このため掃除の終了時には静かなものとなる。しかも、落とされた塵埃は集塵室ケース４１の接続開口４１Ｂａから集塵室ケース４１の底壁部４１Ｃへ落下していくので、プリーツフィルタ６４から落とした塵埃を第１集塵室４０、すなわち集塵室ケース４１内へ導入させるための複雑な構成は不要となる。
【００５０】
外気がバイパス開口４１Ｂｂのプリーツフィルタ５０を通る際に、プリーツフィルタ６４から落とされた細塵の一部がプリーツフィルタ５０に捕捉されることになる。このプリーツフィルタ５０に捕捉された細塵は、上記のように振動機構５１によって振り落とす。
【００５１】
そして、切スイッチの操作が行われてから所定時間が経過すると、電動送風機３３の駆動が停止され、開閉弁６９は閉成され、開閉弁３２は開成され、切換弁３８は破線位置へ切り換わる。
【００５２】
集塵室ケース４１の集塵部４３に集塵された塵埃や集塵室ケース４１の底壁部４１Ｃに溜まった塵埃を捨てるには、この集塵室ケース４１を掃除機本体３０から取り外して捨てるものである。
［第２実施例］
図８および図９は第２実施例の電気掃除機１２０を示したものである。この電気掃除機１２０は、電動送風機３３の排気口３３Ｂから排気される空気を循環させる循環風路１２１と、この循環風路１２１からの空気を回転プリーツフィルタ体６１のプリーツフィルタ６４に向けて吹き付けるノズル１６８とを設けたものである。１６９は実線の位置と破線の位置とに切り換わる切換弁（開閉弁）であり、通常の掃除を行っているときには、切換弁１６９が実線位置に切り換わり、電動送風機３３の排気口３３Ｂから排気された空気は、分岐管１２２を介して掃除機本体３０の排気口３０Ｈから排気される。他の開閉弁３２および切換弁３８の開閉状態は第１実施例と同じである。
【００５３】
ハンドル１００の手元操作部の切スイッチが操作されると、切換弁１６９が破線位置へ切り換わるとともに切換弁３８が実線位置へ切り換わり、開閉弁３２が開成されて、電動送風機３３の排気口３３Ｂから排気された空気が循環風路１２１を介してノズル１６８からプリーツフィルタ６４に向けて吹き付けられる。他の動作は第１実施例と同様なのでその説明は省略する。
【００５４】
上記実施例は、いずれも１つのノズル６８，１６８でプリーツフィルタ６４に付着した塵埃を落とすものであるが、複数のノズルでプリーツフィルタ６４全体に吹き付けるようにしてもよい。この場合、プリーツフィルタ６４を回転させる機構は不要となる。
【図面の簡単な説明】
【００５５】
【図１】この発明に係る電気掃除機の構成を概念的に示した説明図である。
【図２】図１に示す電気掃除機の構成を示した概念的に示した横断面図である。
【図３】第１集塵ケースの構成を示した断面斜視図である。
【図４】第１集塵ケースの構成を示した他の断面斜視図である。
【図５】第１集塵ケースの構成を示した別な他の断面斜視図である。
【図６】振動機構の構成を示した説明図である。
【図７】外気の流れを示した説明図である。
【図８】第２実施例の電気掃除機の構成を概念的に示した説明図である。
【図９】図７に示す電気掃除機の構成を示した横断面図である。
【符号の説明】
【００５６】
３１      吸込風路管
３２      開閉弁（第３開閉手段）
３３      電動送風機
３３Ａ    吸込開口
３５      連通風路管
３６      バイパス風路管
３８      切換弁（第１，第２開閉手段）
４０      第１集塵室
４１Ｂａ  接続開口
５０      プリーツフィルタ（フィルタ）
６０      第２集塵室
６４      プリーツフィルタ
６８      ノズル（空気吹付手段）
【図１】
2008023043.tif 000003
【図２】
2008023043.tif 000004
【図３】
2008023043.tif 000005
【図４】
2008023043.tif 000006
【図５】
2008023043.tif 000007
【図６】
2008023043.tif 000008
【図７】
2008023043.tif 000009
【図８】
2008023043.tif 000010
【図９】
2008023043.tif 000011